(57)【要約】【課題】釣竿や手指を損傷することなく安全かつ容易に根掛りした釣り糸を仕掛けの近傍で切断し、ほぼ全長の釣り糸つまり道糸と称される部分の釣り糸を回収するための釣り糸切断具であって、前記釣り糸と共に該釣り糸切断具を同時に回収することを可能にした釣り糸切断具の技術を提供する。【解決手段】釣り糸切断具Ａは大概してボルト（頭）４ａを有した軸部材４と、該軸部材４の軸部４ｂに挿装される例えばコイルスプリング等でなる弾性反発部材５と、該弾性反発部材５を圧縮して前記軸部材４の軸部４ｂの基端方向に押込められる釣り糸切断部材６と、該釣り糸切部材６に隣接・配置される押込み部材７と、前記軸部材４の先端部分に刻設したねじ部４ｃに螺合する蝶ねじ部材８とで構成される。【選択図】図１
2010063388.tif 000002
【特許請求の範囲】
【請求項１】
一端に弾性反発部材を支承しかつ他端にねじ部を形成すると共に一方側に係止紐を挿通する係止孔及び他方側に釣り糸を挿通するガイド孔を貫通形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃を形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする釣り糸切断具。
【請求項２】
一端に弾性反発部材を支承しかつ他端にねじ部を形成すると共に軸方向にガイド溝を形成し、一方側に係止紐を挿通する係止孔及び他方側に釣り糸を挿通するガイド孔を貫通形成し並びに長さ方向にガイド溝を形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃及び該釣り糸切断刃の反対側位置に止め溝を形成し並びに前記ガイド溝にガイドされる小突起を内周壁に形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする釣り糸切断具。
【請求項３】
前記軸部材はその一端に形成したボルト（頭）にレバーを挿入する貫通孔を形成したことを特徴とする請求項１または２記載の釣り糸切断具。
【発明の詳細な説明】
【技術分野】
【０００１】
本発明は、釣竿や手指を損傷することなく安全かつ容易に根掛りした釣り糸を仕掛けの近傍で切断し、ほぼ全長の釣り糸つまり道糸と称される部分の釣り糸及び釣り糸切断後に本発明に係る釣り糸切断具を回収することを特徴とする釣り糸切断具に関する。
【背景技術】
【０００２】
この種、従来の技術に於ける例としては、図６（ａ）、（ｂ）に示す第３００６６２２号登録実用新案公報に開示された根掛り切り器に係る技術がある。これについて説明すれば、当該根掛り切り器は軸１の両端にフック２、２を設ける。軸１は釣り糸３を滑らないように巻き付けるためコルク、ゴム等の材料でカバーする。軸１の部分に根掛かりした釣り糸３を滑らないように巻き付け、両端のフック２、２に８の字を描くように巻き上げていくことで根掛かりが外れるかあるいは釣り糸３が切れるかして安全に処理する技術である。尚、３ａは水中で根掛りした釣り糸３の一方側を示し、３ｂは釣竿に連なる釣り糸３の他方側を示す。
【特許文献１】登録第３００６６２２号実用新案公報
【発明の開示】
【発明が解決しようとする課題】
【０００３】
従来の技術は、叙上の構成であるので次の課題が存在した。
図６（ａ）、（ｂ）に示す従来技術に於いては、釣り糸３は耐荷重が高いので引っ張っても簡単に切断できるものではなく、切断できたとしても、仕掛けの位置と水上にある釣竿の位置のどの位置で釣り糸が切断するか定かでなく、特に釣竿の位置で切断されたときは、釣り糸の全長を回収することができないという問題点があった。また、磯釣りで使用する釣り糸はクエ漁で８０号から１００号程度の太いものが存在する。これらの太さの釣り糸は１００号で約１１５（ｋｇ）から１５０（ｋｇ）程度の耐荷重を有するので根掛りした釣り糸を人力で引っ張って切断することは不可能であるから、釣り人の手元に於いてナイフや鋏等で当該釣り糸を切断する必要があり、釣竿から繰り出した太くて高価な釣り糸の大半を喪失するという問題点があった。
さらに、特に磯釣りの場合などは足場が悪いので釣り人の姿勢が不安定であり、従来の技術に於いては、釣り人は前記不安定な姿勢から根掛り切り器自体に強力な力を込めることができず、釣り糸の巻上げ作業が困難であるばかりか、また釣り糸が切断した瞬間に釣り人の姿勢が崩れて磯から水中または海中に滑り落るなどの危険が伴うという問題点があった。本発明が解決しようとする課題は、上記背景技術に存在する問題点を解決することにある。
【課題を解決するための手段】
【０００４】
本発明に係る釣り糸切断具は叙上の問題点を解決すべく発明したものであり、根掛りに遭遇したとき、釣り糸切断刃を備えた釣り糸切断具を釣り糸をガイドとして、根掛り部位まで下降させて該釣り糸切断刃で釣り糸を容易かつ迅速に切断し、釣竿を折損することなく釣り糸及び釣り糸切断後に釣り糸切断具の回収を図ることを目的としており、次の構成、手段から成立する。
【０００５】
すなわち、請求項１記載の発明によれば、一端に弾性反発部材を支承しかつ他端にねじ部を形成すると共に一方側に係止紐を挿通する係止孔及び他方側に釣り糸を挿通するガイド孔を貫通形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃を形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする。
【０００６】
請求項２記載の発明によれば、一端に弾性反発部材を支承しかつ他端にねじ部を形成すると共に軸方向にガイド溝を形成し、一方側に係止紐を挿通する係止孔及び他方側に釣り糸を挿通するガイド孔を貫通形成し並びに長さ方向にガイド溝を形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃及び該釣り糸切断刃の反対側位置に止め溝を形成し並びに前記ガイド溝にガイドされる小突起を内周壁に形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする。
【０００７】
請求項３記載の発明によれば、請求項１または２記載の釣り糸切断具に於いて、前記軸部材はその一端に形成したボルト（頭）にレバーを挿入する貫通孔を形成したことを特徴とする。
【発明の効果】
【０００８】
本発明に係る釣り糸切断具は、叙上の構成を有するので次の効果がある。
【０００９】
すなわち、請求項１記載の発明によれば、一端に弾性反発部材を支承しかつ他端にねじ部を形成すると共に一方側に係止紐を挿通する係止孔及び他方側に釣り糸を挿通するガイド孔を貫通形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃を形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする釣り糸切断具を提供する。
このような構成としたので、クエや石鯛等各種魚類を釣上げる際に、釣り糸が海底等の岩石や藻に引掛り、いわゆる根掛り現象が惹起したとき、本発明に係る釣り糸切断具を釣り糸をガイドとして海底等に沈潜することにより釣り糸を根掛り部位で切断し、高価な釣り糸等を容易に回収することができるという効果がある。また、本発明は海水魚に限らず湖水、河川水、渓流等各種の場所に遊泳している魚類を釣上げる際に於ける根掛り現象に対処でき、その適用範囲が広いという効果がある。
【００１０】
また、請求項２記載の発明によれば、一端に弾性反発部材を支承しかつ他端にねじ部を形成すると共に軸方向にガイド溝を形成し、一方側に係止紐を挿通する係止孔及び他方側に釣り糸を挿通するガイド孔を貫通形成し並びに長さ方向にガイド溝を形成した軸部材と、該軸部材に挿装する弾性反発部材と、前記軸部材に挿装すると共に該弾性反発部材の他端に配置しかつ一方側に前記係止孔に連通する紐挿入孔を貫通形成すると共に他方側に釣り糸切断刃及び該釣り糸切断刃の反対側位置に止め溝を形成し並びに前記ガイド溝にガイドされる小突起を内周壁に形成した釣り糸切断部材と、該釣り糸切断部材を軸部材の一端方向に進入させる蝶ねじ部材とでなる構成に於いて、前記係止孔及び前記紐挿入孔に海中又は水中で溶解する係止紐を挿入配置し、前記弾性反発部材の弾発力で前記釣り糸切断部材の釣り糸切断刃で前記ガイド孔に挿通された釣り糸を切断することを特徴とする釣り糸切断具を提供する。
このような構成としたので、請求項１記載の発明の効果に加えてガイド溝及び小突起を設けたので軸部材に釣り糸切断部材を定位置にかつ円滑に押付けることができるという効果がある。また止め溝に切断した残余の釣り糸を挟着し本発明に係る釣具の切断具を吊下げ回収することができ再使用を可能にするという効果がある。
【００１１】
さらに、請求項３記載の発明によれば、前記軸部材はその一端に形成したボルト（頭）にレバーを挿入する貫通孔を形成したことを特徴とする請求項１または２記載の釣り糸切断具を提供する。
このような構成としたので、請求項１または２記載の発明の効果に加えて、本発明に係る釣具の切断具を組み立てることを容易にするという効果がある。
【発明を実施するための最良の形態】
【００１２】
以下、本発明に係る釣り糸切断具に於ける実施の形態について添付図面に基づき詳細に説明する。
【００１３】
図１は、本発明に係る釣り糸切断具の実施の形態に於ける当該釣り糸切断具の分解図であって、（ａ）は正面図、（ｂ）は右側面図である。図２は当該釣り糸切断具の組立手順を示す図であって（ａ）は蝶ねじ部材を軸部材にねじ込む前の状態を示す側面図、（ｂ）は蝶ねじ部材を軸部材にねじ込み開始直後の状態を示す側面図、（ｃ）は釣り糸を軸部材のガイド孔に挿入したときの状態を示す側面図、（ｄ）は蝶ねじ部材を軸部材の端部分に戻したときの状態を示す側面図、（ｅ）は釣り糸切断部材に備えた係止紐が溶解する前の状態を示す側面図及び図（ｆ）は釣り糸切断部材に備えた係止紐が溶解しかつ釣り糸が切断したを示す側面図である。図３は釣り糸が根掛りをしたとき、当該釣り糸切断具を使用して当該釣り糸を切断する状態を示す側面図である。
【００１４】
Ａは本発明に係る釣り糸切断具である。該釣り糸切断具Ａは大概して一端にボルト（頭）４ａを有した軸部材４と、該軸部材４の軸部４ｂに挿装される例えばコイルスプリング等でなる弾性反発部材５と、該弾性反発部材５を圧縮して前記軸部材４の軸部４ｂの基端つまり一端方向に押込められる釣り糸切断部材６と、該釣り糸切部材６に隣接・配置される押込み部材７と、前記軸部材４の先端部分つまり他端に刻設したねじ部４ｃに螺合する蝶ねじ部材８とで構成される。
【００１５】
前記軸部材４はその軸部４ｂを例えば、断面形状が略真円状かつ内実棒状に製作しており、その基端つまり一端に軸部４ｂの径長より幅広に形成したボルト（頭）４ａを備えている。このボルト（頭）４ａは例えば、正面形状が６角形または多角形に形成されるほかに、円盤状鍔等でもよい。また該ボルト（頭）４ａを備えることなく該軸部材４に弾性反発部材５のストッパーを形成して代用することができる。そして前記弾性反発部材５の一端を支承する構成のものであればよく図１（ａ）（ｂ）に示すものに限定されない。
【００１６】
該軸部材４は図１（ｂ）に示すように先端部分つまり他端に形成したねじ部４ｃの先端から軸部４ｂの基端つまり一端付近まで長さ方向つまり軸方向に一条の例えばＵ字状又は凹状のガイド溝４ｄを形成している。このガイド溝４ｄは例えば幅長が１．８（ｍｍ）及び深さが１（ｍｍ）に設定し径長１（ｍｍ）程度の釣り糸９が嵌入するように構成されている。該軸部材４は、ステンレス、鉄等の金属材料やその他各種の材料で形成され、海中または水中に沈潜可能な比重を有する部材であれば良い。また、軸部材４は樹脂材料やセラミックス等の各種材料でもよく、その場合、海中又は水中に沈潜するように例えば軸部材４に重錘を吊下げる等の構成にする。ここで本発明に係る釣り糸切断具は上記ガイド溝４ｄを設定しなくても実施可能である。
【００１７】
前記軸部材４の軸部４ｂの略中央部分にはガイド溝４ｄの中であって水中または海中で溶解する係止紐１０を挿通する係止孔４ｅを貫通形成している。この係止孔４ｅは例えば、長穴で形成されているが真円孔でもよい。この係止孔４ｅから適宜離間した位置に釣り糸９を挿通する例えば略Ｌ字状のガイド孔４ｆを該軸部材４の軸部４ｂに貫通形成している。該ガイド孔４ｆは軸方向縦孔４ｆ１と釣り糸９を挿入セットするための開口としての幅方向横孔４ｆ２とで構成されている。該幅方向横孔４ｆ２は前記ガイド溝４ｄの中に形成しており、釣り糸９を切断したときその切断切口部分がガイド溝４ｄに嵌着する構成となっている。
【００１８】
前記弾性反発部材５はその径長が前記軸部材４の軸部４ｂの径長よりやや長くかつ該軸部４ｂに挿装したときその一端がボルト（頭）４ａの内壁面に係止される。該弾性反発部材５の形成材料はばね用ステンレス鋼材、ピアノ線材等ばね用材料や各種の各種の材料で構成される。また前記釣り糸切断部材６は例えば、上・下無底の円筒体で構成され、前記軸部材４の軸部４ｂに挿装したとき該弾性反発部材５の他端を圧縮しながら該弾性反発部材５を前記軸部材４の一端、つまりボルト（頭）４ａの方向に押込める。
【００１９】
該釣り糸切断部材６はその内周壁に小突起６ａを形成しこの小突起６ａが前記軸部材４のガイド溝４ｄにスライドしながら軸部材４の軸部４ｂに挿装すると共に弾性反発部材５の他端を押圧しかつ進入して配置する。この小突起６ａにより釣り糸切断部材６の押込み動作がぶれることなく安定する。そして該釣り糸切断部材６は弾性反発部材５側の部位つまり一方側に紐挿入孔６ｂを貫通形成している。そして、該釣り糸切断部材６が軸部材４の軸部４ｂの基端部分、つまり一端方向に進入し完全に圧縮され押込まれた際、該紐挿入孔６ｂは軸部材４の軸部４ｂに形成した係止孔４ｅと開口部分が一致し連通状態となる。そこで係止紐１０を連通状態となった紐挿入孔６ｂ及び係止孔４ｅに挿入することができる。ここで、本発明に係る釣り糸切断具は上記小突起６ａを設定しなくても実施可能である。
【００２０】
また前記釣り糸切断部材６に形成した紐挿入孔６ｂの反対側の部位つまり他方側には釣り糸切断刃６ｃを形成している。該釣り糸切断刃６ｃは例えば前記釣り糸切断部材６の他方側の部分を切欠することによりその一部を切断刃として形成する。すなわち、該釣り糸切断刃６ｃは第１切断部６ｃ１と軸心方向から例えば３０°ないし４５°の傾斜角度θを備えてを形成した第２切断部６ｃ２とを有している。この第１切断部、第２切断部６ｃ１、６ｃ２はそれぞれ刃先を鋭角に形成してある。そしてその刃先から釣り糸切断部材６の外表面に向うに従い傾斜面を形成し、いわゆる刃の厚みを有し、この刃の厚み、又は刃先は釣り糸９の線径長や種類または耐加重の条件等により適宜に設計する。また上記釣り糸切断刃６ｃは鋭角状の刃先を形成することなく、単に軸部材４の幅方向に釣り糸切断部材６をカットした状態でも機能する。
【００２１】
この実施の形態に於いて釣り糸切断刃６ｃは釣り糸切断部材６に一体成形した構成であるが別部品として装着してもよい。尚、釣り糸切断部材６の小突起６ａの設定位置を周方向にずらすことにより、該釣り糸切断部材６を軸部材４に挿装すれば、該第２切断部６ｃ２を釣り糸９に近接させ該第２切断部６ｃ２のみで該釣り糸９を切断可能にする。
【００２２】
また、前記釣り糸切断刃６ｃの水平方向反対面すなわち図１（ｂ）の裏面側には、つまり該釣り糸切断部材６の反対面側位置には例えば凹陥状の止め溝６ｄを切欠き形成してなる。この止め溝６ｄの設定位置は前記第１切断部６ｃ１の最奥位置より軸部材４の他端側に設定する。そして根掛りの状態に於いて釣り糸９を切断したとき回収すべき釣り糸９、例えばその道糸に軸部材４と噛合い該本発明に係る釣り糸切断具Ａに吊下がり回収する。つまり釣り糸９を切断する際、先ず釣り糸９が止め溝６ｄと軸部材４とで固定され、次いで第１切断部６ｃ１または及び第２切断部６ｃ２で根掛り部位に釣り糸９を切断する。
【００２３】
また押込み部材７は例えば上・下無底の円筒体で構成され、前記軸部材４の軸部４ｂに挿装したとき該釣り糸切断部材６の他端を押圧させながら前記軸部材４の軸部４ｂに進入する。そして、該押込み部材７はその内周壁に小突起７ａを形成し、この小突起７ａが軸部材４のガイド溝４ｄにスライドしながら該釣り糸切断部材６の他端を押圧し進入する。この小突起７ａにより押込み部材７の押込み動作がぶれることなく安定する。該押込み部材７は該釣り糸切断部材６側の部位に例えば側面形状がＬ字状の切欠部７ｂを形成している。この切欠部７ｂは本発明に係る釣り糸切断具Ａを組付けた際に前記釣り糸９を挿通するガイド孔４ｆを閉塞しないように構成している。また該切欠部７ｂは必ず設定することはなく、単に円筒体に構成し釣り糸９のガイド孔４ｆが釣り糸切断部材６に切欠して形成した釣り糸切断刃６ｃの部分で該ガイド孔４ｆを閉塞しない構成に出来る。
尚、当該押込み部材７はそのの機能を上述した釣り糸切断部材６に代用させることにより、排除することが可能である。また、本発明に係る釣り糸切断具は上記小突起６ａを設定しなくても実施可能である。
【００２４】
また、蝶ねじ部材８は摘み部８ａと、ねじ部８ｂとで構成されている。本発明に係る釣り糸切断具Ａを組付ける際、該蝶ねじ部材８は軸部材４のねじ部４ｃにセットしねじ込むことにより、前記釣り糸切断部材６及び押込み部材７を弾性反発部材５を圧縮しながら押し込む。このとき軸部材４の一端のボルト（頭）４ａには貫通孔４ｇを形成しておりこの貫通孔４ｇの中に図４に示すレバー１１やその他に把手部材等の棒状物を差し込み、例えばこれを釣り人等作業者の一方の手で保持し、他方の手で蝶ねじ部材８をねじ回し動作を行い組付けの容易性を図る。尚、該蝶ねじ部材８は後述するとおり、蝶ねじ部材８を緩めた状態で使用する。従って軸部材４から蝶ねじ部材８等が脱落することを防ぐために、ねじ部８ｂに合成樹脂等で成形した緩み止め機構を備えた蝶ねじを用いるのがよい。また、軸部材４のねじ部４ｃの先端部分に小孔を穿孔し、この中に金属等の材料でなる細線を係入し該蝶ねじ部材８の脱落を防止する。
【００２５】
また蝶ねじ部材８は摘み部８ａとその中心部位にねじ部８ｂとを形成しており、本発明に係る釣り糸切断具Ａを組付ける際にこのねじ部８ｂを前記軸部材４のねじ部４ｃの先端から螺合させかつ例えば、摘み部８ａを右回転させながらねじ込むことのより前記弾性反発部材５を圧縮しながら釣り糸切断部材６及び押込み部材７を該弾性反発部材５のボルト（頭）４ａ方向に圧入する。
【００２６】
上述に於いて本発明に係る釣り糸切断具Ａを組付ける際、釣り人等が例えば一方の手でボルト（頭）４ａの貫通孔４ｇに差込んだ上記レバー１１を把持する構成であるが、本発明はこれに限定されるものではなく、該レバー１１を省略しボルト（頭）４ａと一体化した板部材や棒部材その他釣り人が把持できる構造物を備えることでその目的を達成できる。また、さらに上記レバー１１やボルト（頭）４ａの貫通孔４ｇを排除しボルト（頭）４ａに係合する把持工具例えばスパナーやペンチ等で代用して差支えない。
【００２７】
次に上述した実施の形態に基づき、本発明に係る釣り糸切断具Ａの組立手順を説明し、併せて釣り人が海中１５に遊泳している石鯛やクエ等の魚類を釣り上げるときに使用する釣り糸９が海底の岩石１６等により根掛り状態になった場合、根掛りした部位でこの釣り糸９を切断するときの操作手順や釣り糸切断具Ａの動作要領等を図２、図３等に基づき説明する。
【００２８】
釣り人は図３等に示すように通常に於いて、釣竿１２に結ばれてその先端に釣針１３を備えた釣り糸９が引出され、これを海中等に落し込む。釣り糸９は釣竿１２から釣針１３の付近に結んだ重錘１４までを繋ぐ道糸と、重錘１４から釣針１３までを繋ぐハリスとで構成する。道糸及びハリスはナイロン樹脂、ポリエステル樹脂等で形成した中実線材であり、道糸は引っ張り強度を確保するためにハリスに比較して断面径長が太い線材であり、ハリスは海中又は水中に於いてその存在を目立たなくする目的で断面径長が細い線材である。例えば磯釣り使用する釣り糸は、クエ漁に於いてはナイロン糸の８０号から１００号を適用する。ここで１００号の耐加重は１１５（ｋｇ）から１５０（ｋｇ）程度である。石鯛漁に於いてはナイロン糸の１８号から２４号程度の太さの釣り糸を適用する。
そこで、釣り人は上述した石鯛やクエ又はその他の魚類を釣針１３等でなる上述したいわゆる仕掛けで釣り上げる。ところが、この釣針１３が図３の実線で示すように海流の影響等で海底の岩石１６や藻に引掛り、いわゆる根掛り現象を惹起する場合がある。この際、釣り人は釣竿１２を強引に引上げることなく次の手順でもって、本発明に係る釣り糸切断具Ａを組立てる。
【００２９】
先ず、図２（ａ）に示すように軸部材４の軸部４ｂに前記弾性反発部材５を挿装する。そして前記釣り糸切断部材６の小突起６ａを該軸部材４のガイド溝４ｄにスライドさせて該弾性反発部材５の他端を一方側縁６ｅで押圧し進入させる。次に前記押込み部材７の小突起７ａを該軸部材４のガイド溝４ｄにスライドさせて該釣り糸切断部材６の他端を押圧し進入させる。さらに、図２（ｂ）に示すように蝶ねじ部材８のねじ部８ｂを該軸部材４のねじ部４ｃの先端に螺合セットさせると共に摘み部８ａを例えば右廻りに回転させてねじ込む。蝶ねじ部材８による適宜かつ相当回転量のねじ込み操作により釣り糸切断部材６及び押込み部材７が例えば左方向すなわち軸部材４のボルト（頭）４ａ側に進入する。そこで前記弾性反発部材５の他端は図２（ｃ）に示すように圧縮される。他の実施例として小突起６ａ、７ａやガイド溝４ｄを設定しないときも同様の手順で組立てる。
【００３０】
この状態に於いて、釣り糸切断部材６の紐挿入孔６ｂが軸部材４係止孔４ｅの開口部分に一致し連通する。ここで図２（ｃ）及び図５（ａ）に示すように係止紐１０を紐挿入孔６ｂ及び係止孔４ｅに挿入する。係止紐１０は水分を吸収すると一定時間内に軟化又は溶解する材料で構成する。係止紐１０の材料は、例えば紙、ゼラチン、カルボキシメチルサルロースやメチルセルロース等のセルロース誘導体、ポリビニルアルコール等の水溶性高分子材料である。これらの材料をひも状に形成して係止紐１０を得る。
【００３１】
また、この状態に於いて、図５（ａ）に示すように釣り糸切断部材６が左方向に押圧され、該釣り糸切断部材６の他方縁６ｆが左側、つまり弾性反発部材５の他方端側に押込まれ、軸部材４の幅方向横孔４ｆ２が開口している。次に釣り人は釣り糸９を幅方向横孔４ｆ２に跨がせて挿入し釣り糸９を該幅方向横孔４ｆ２に連通した軸方向縦孔４ｆ１まで移動する。このとき図５（ａ）に示すように釣り人は釣り糸９の道糸であって釣針側釣り糸９ａと釣竿側釣り糸９ｂの向きに注意して、釣針側釣り糸９ａが釣り糸切断刃６ｃ側になり、釣竿側釣り糸９ｂが釣り糸切断刃６ｃの反対側すなわち止め溝６ｄ側になるように釣り糸９を跨がせて挿入する。
【００３２】
次に釣り人は図２（ｄ）及び図５（ｂ）に示すように蝶ねじ部材８の摘み部８ａを例えば左廻りに回転させて、蝶ねじ部材８を軸部材４のねじ部４ｃの先端つまり略右端部付近まで移動する。このとき弾性反発部材５の弾発力により釣り糸切断部材６が右方向、つまり軸部材４の他端側に押圧される。しかしながら係止紐１０を紐挿入孔６ｂ及び係止孔４ｅに挿入してあるので、これが抵抗し図２（ｅ）及び図５（ｂ）に示すように、弾性反発部材５の弾発力により右方向に押された釣り糸切断部材６は係止紐１０の変形する限度まで移動して停止する。このとき軸部材４の幅方向横孔４ｆ２は図５（ｂ）に示すように、釣り糸切断部材６の他端縁６ｆによってその開口が閉塞され、一旦ガイド孔４ｆに挿入された釣り糸９はガイド孔４ｆから外れることがない。
【００３３】
次に釣り人が前記した手順で釣り糸９をガイド孔４ｆに通した本発明に係る釣り糸切断具Ａは釣り糸９がガイド孔４ｆにガイドされ釣竿１２部分の釣り糸９からその自重で釣り糸９に沿って自然降下してゆき、海中または水中に沈潜する。図３に示すように該釣り糸切断具Ａは根掛り部位に結び付けられている重錘１４等の仕掛けに当り降下を停止する。また、当該釣り糸切断具Ａを海中又は水中に沈潜すると同時に、前記係止紐１０は水分を吸収し始めており、当該釣り糸切断具Ａが重錘１４等の仕掛けに当り降下を停止した後に係止紐１０がある一定時間内に軟化又は溶解する。
【００３４】
次に図２（ｆ）及び図５（ｃ）に示すように弾性反発部材６の弾発力や海水等で軟化又は溶解した係止紐１０は切断されると同時に、軸部材４に挿装してある釣り糸切断部材６は弾性反発部材６の強力な弾発力によって先ずは釣り糸切断部材６の他方側端面とりわけ止め溝６ｄの最奥面が釣竿１２側の釣り糸９を軸部材４の外表面に押込め挟着する。具体的には釣竿１２側の該釣り糸９を軸部材４の形成したガイド溝４ｄ内に圧着・保持する。この場合前述したようにガイド溝４ｄの深さにより釣り糸９の径長がやや長く設定したので該釣り糸９の表面を押潰してガイド溝４ｄ内に圧着することとなり、当該本発明に係る釣り糸切断具Ａを該釣り糸９に吊下げ回収することとなる。次いで軸部材４の軸部４ｂに沿って右方向つまり他端に瞬時に移動し、釣り糸切断刃６ｃとりわけ前記第１切断部６ｃ１で釣り糸９を切断して根掛りを解消する。
尚、ここで釣り糸９を切断するときは第１切断部６ｃ１のみではなく、第２切断部６ｃ２を関与させまた第２切断部６ｃ２のみで釣り糸９を切断可能とした構成とすることができる。
【００３５】
また、前述は先に釣り糸９を軸部材４に挟着する構成であるが本発明はこれに限定されず
釣り糸切断部材６により釣り糸９を切断した後に前記弾性反発部材６の弾発力によって更に右方向に移動を継続し、該釣り糸切断部材６が釣竿側釣り糸９ｂを軸方向縦孔４ｆ１とガイド溝４ｄ及び止め溝６ｄの間隙に於いて前記弾性反発部材６の強力な弾発力により挟着し、本発明に係る釣り糸切断具Ａを釣竿側釣り糸９に吊下げる。また前記弾性反発部材６の弾発力をさらに向上させるために軸部材４のボルト（頭）４ａの内壁面にワッシャを備えて構成することもできる。よって、釣り人は根掛りを解消した釣り糸９を巻き上げることによって、ほぼ全長に亘る釣り糸９を回収すると共に、本発明に係る釣り糸切断具Ａの同時に回収することができる。さらに本発明に係る釣り糸切断具Ａは海中に限らず湖水、河川、渓流等に遊泳する魚類を釣上げる際にも適用できる。
【図面の簡単な説明】
【００３６】
【図１】本発明に係る釣り糸切断具の実施の形態に於ける当該釣り糸該切断具の分解図であって、（ａ）は正面図、（ｂ）は右側面図である。
【図２】本発明に係る当該釣り糸切断具の組立手順を示す図であって（ａ）は蝶ねじ部材を軸部材にねじ込む前の状態を示す側面図、（ｂ）は蝶ねじ部材を軸部材にねじ込み開始直後の状態を示す側面図、（ｃ）は釣り糸を軸部材のガイド孔に挿入したときの状態を示す側面図、（ｄ）は蝶ねじ部材を軸部材の端部分に戻したときの状態を示す側面図、（ｅ）は釣り糸切断部材に備えた係止紐が溶解する前の状態を示す側面図及び図（ｆ）は釣り糸切断部材に備えた係止紐が溶解しかつ釣り糸が切断した状態を示す側面図である。
【図３】釣り糸が根掛りをしたとき、本発明に係る釣り糸切断具を使用して当該釣り糸を切断する状態を示す側面図である。
【図４】本発明に係る釣り糸切断具に適用する軸部材のボルト（頭）の貫通孔に挿入するレバーの外観形状を示す斜視図である。
【図５】本発明に係る釣り糸切断具の動作要領等を示す説明図であって、（ａ）は本発明に係る釣り糸切断具を根掛りした釣り糸に取付けるときの状態を示す正面図、（ｂ）は本発明に係る釣り糸切断具の釣り糸切断部材がガイド孔の幅方向横孔を閉塞した状態を示す正面図、（ｃ）は本発明に係る釣り糸切断具が海中または水中に於いて、根掛りした釣り糸を切断するときの状態を示す正面図である。
【図６】従来の技術に於ける一例を示す図面であって、（ａ）は根掛り切り器の外観形状を示す斜視図、（ｂ）は該根掛り切り器に根掛りした釣り糸を巻き取っている状態を示す斜視図である。
【符号の説明】
【００３７】
４        軸部材
４ａ      ボルト（頭）
４ｂ      軸部
４ｃ      ねじ部
４ｄ      ガイド溝
４ｅ      係止孔
４ｆ      ガイド孔
４ｆ１    ガイド孔の軸方向縦孔
４ｆ２    ガイド孔の幅方向横孔
４ｇ      貫通孔
５        弾性反発部材
６        釣り糸切断部材
６ａ      小突起
６ｂ      紐挿入孔
６ｃ      釣り糸切断刃
６ｃ１    釣り糸切断刃の第１切断部
６ｃ２    釣り糸切断刃の第２切断部
６ｄ      止め溝
６ｅ      一方側縁
６ｆ      他方側縁
７        押込み部材
７ａ      小突起
７ｂ      切欠部
８        蝶ねじ部材
８ａ      摘み部
８ｂ      ねじ部
９        釣り糸
９ａ      釣針側釣り糸
９ｂ      釣竿側釣り糸
１０      係止紐
１１      レバー
１２      釣竿
１３      釣針
１４      重錘
１５      海中
１６      岩石
【図１】
2010063388.tif 000003
【図２】
2010063388.tif 000004
【図３】
2010063388.tif 000005
【図４】
2010063388.tif 000006
【図５】
2010063388.tif 000007
【図６】
2010063388.tif 000008